(57)【特許請求の範囲】
【請求項１】
籠本体の外周に羽根が水平方向に一体に設けられていることを特徴とする魚釣り用こませ籠。
【請求項２】
籠本体の外周にその全周に亘って前周部から後周部に向かって斜め上方に傾斜した傾斜円環羽根が一体に設けられていることを特徴とする魚釣り用こませ籠。
【請求項３】
籠本体の外底面に重錘が一体に設けられていることを特徴とする請求項１又は請求項２に記載の魚釣り用こませ籠。
【請求項４】
籠本体の底面が羽根と同方向に傾斜して形成されているとともに、その傾斜外底面に一体に設けられている重錘の下面が上記羽根と同方向に傾斜して形成されていることを特徴とする請求項２に記載の魚釣り用こませ籠。
【請求項５】
籠本体の傾斜外底面に設けられた重錘の下面に、羽根の傾斜方向に延びる突条が形成されていることを特徴とする請求項４に記載の魚釣り用こませ籠。
【請求項６】
羽根が籠本体の外周の上下方向に所定間隔をおいて複数枚設けられていることを特徴とする請求項１乃至請求項５のうち何れか１項に記載の魚釣り用こませ籠。
【発明の詳細な説明】
【０００１】
【発明の属する技術分野】
本発明は、魚釣り用こませ籠、詳しくは鰯や小鰺などのさびき釣りに使用するこませ籠に関するものである。
【０００２】
【従来の技術】
従来から波止場や突堤等での鰯や小鰺等の小魚の釣り仕掛けとして、道糸に所定間隔毎に釣り針を取付けたハリス（枝針）を多数締結してなる「さびき仕掛け」が汎用されている。そして、さびき釣りは、上記「さびき仕掛け」の上端を釣り竿側に取り付け、「さびき仕掛け」の道糸の下端に、こませ籠を取り付けて各釣り針には擬似餌または生餌を刺し、こませ籠内に撒き餌を入れた後、釣り竿を操作して「さびき仕掛け」を海中に投入し、釣り竿を上下に操作して仕掛けを動かし集魚しながら釣り針の餌に食いついた魚を釣り上げるものである。
【０００３】
上記のような「さびき仕掛け」に使用される代表的なこませ籠は、籠本体が合成樹脂で形成された直径が約２〜４ｃｍ、長さが約４〜５ｃｍの上部が開放された筒状をなし、周面に格子状（ネット状）の隙間を備え、上部に半円形の取っ手が取り付けられ、その取っ手の頂部にはスナップが取り付けられている一方、籠本体の外底面には逆円錐形状の重錘あるいは半球形状の重錘が固着されてなる。そして、上記こませ籠は「さびき仕掛け」の道糸下端に止着して海中に投入されると、その外底面の重錘によって籠本体が転倒することなく沈降するようになっている。
【０００４】
【発明が解決しようとする課題】
ところが、従来の「さびき仕掛け」に使用されているこませ籠は、海中に投下すると上記のように筒状の籠本体の外底面に固着された重錘の作用によって真っ直ぐに沈降することから、潮流のないときにはこませ籠が揺動せず、内部のこませ（撒き餌）が散出しにくく、十分な撒き餌効果が得られないという不都合を有している。その上、こませ籠が真っ直ぐに沈降すると、道糸に取付けられた各枝針は道糸に沿った状態となり、各釣り針の位置が道糸に近くなって魚の食いつきが悪くなり、釣果の上がらない大きな要因となっていた。
【０００５】
本発明は、上記した要因を解消することを目的としてなされたものであって、水中での沈降時や持ち上げ操作時にこませ籠が揺動あるいは斜め方向に移動するようになしたこませ籠を提供するものである。
【０００６】
【課題を解決するための手段】
本発明は、籠本体の外周に羽根を一体に設け、この羽根の作用によってこませ籠の沈降時及び持ち上げ上動時にこませ籠がゆらゆらと揺動あるいは斜め移動するように構成することによって上記課題を解決した。即ち、請求項１に記載の魚釣り用こませ籠は、籠本体の外周に羽根が水平方向に一体に設けられていることを特徴としている。
【０００７】
請求項２に記載の魚釣り用こませ籠は、籠本体の外周にその全周に亘って前周部から後周部に向かって斜め上方に傾斜した傾斜円環羽根が一体に設けられていることを特徴とする。
【０００８】
請求項３に記載の魚釣り用こませ籠は、請求項１又は請求項２に記載の魚釣り用こませ籠において、籠本体の外底面に重錘が一体に設けられていることを特徴とする。
【０００９】
請求項４に記載の魚釣り用こませ籠は、請求項２に記載の魚釣り用こませ籠において、籠本体の底面が羽根と同方向に傾斜して形成されているとともに、その傾斜外底面に一体に設けられている重錘の下面が上記羽根と同方向に傾斜して形成されていることを特徴とする。
【００１０】
請求項５に記載の魚釣り用こませ籠は、請求項４に記載の魚釣り用こませ籠において、籠本体の傾斜外底面に設けられた重錘の下面に、羽根の傾斜方向に延びる突条が形成されていることを特徴とする。
【００１１】
請求項６に記載の魚釣り用こませ籠は、請求項１乃至請求項５のうちの何れか１項に記載の魚釣り用こませ籠において、羽根が籠本体の外周の上下方向に所定間隔をおいて複数枚設けられていることを特徴とする。
【００１２】
【作用】
上端が釣り竿の先端側に固着されたさびき仕掛けの下端に魚釣り用こませ籠を固着し、この魚釣り用こませ籠の籠本体内にこませを詰める。しかる後、釣り竿を操作してさびき仕掛けの先端に固着した魚釣り用こませ籠を持ち上げて水中に投入する。
【００１３】
すると、籠本体の外周面には羽根が一体に設けられていることから、この羽根の下面に水の抵抗を受けて魚釣り用こませ籠は水中をゆっくりと沈降する。それに伴い、道糸もゆっくりと沈降し、道糸に締結された枝針も急激に沈降した際のような垂直状態となって道糸に沿った状態となることなく道糸から離間した浮遊状態で魚のいるポイントまで沈められる。
【００１４】
一方、上記魚釣り用こませ籠は釣り竿によってさびき仕掛けを介して持ち上げられ水中に投入されることから、水中へは前後左右に揺動した状態で投入される。この際、上記籠本体の外周面の羽根が水平方向に設けられている場合には、この魚釣り用こませ籠の揺動と籠本体の外周面の羽根にかかる水の抵抗とが相まって、魚釣り用こませ籠は水中を揺動状態で沈降する。
【００１５】
又、上記籠本体の外周面に一体に設けられた羽根が籠本体の外周に前周部から後周部に向かって斜め上方に傾斜して一体に設けられている場合には、羽根が斜め下方向に水をきるため魚釣り用こませ籠は斜め下方向に沈降する。
【００１６】
【発明の実施の形態】
本発明の魚釣り用こませ籠の一例を図面を参照しながら説明する。本発明の魚釣り用こませ籠１は、図１に示した様に、籠本体２とこの籠本体２の外底面に一体に設けられた逆円錐形状の重錘３と上記籠本体２の外周面に一体に設けられた一枚の羽根４と上記籠本体２の上部に一体に設けられた吊下用の取っ手５とからなる。なお、上記魚釣り用こませ籠１は合成樹脂成形によって形成されており、上記羽根４は上記籠本体２と一体に形成されている。
【００１７】
上記籠本体２は有底筒状体に形成され、その内部はこませ収納部21とされている一方、その上部は開放されてこませの投入口22に形成されているとともにその周面には格子状の隙間23が形成されており、この隙間23及び上記こませの投入口22から上記こませ収納部21に収納されたこませが外部に散出される。
【００１８】
上記羽根４は、上記籠本体２の全周に亘って一定幅を有する薄肉厚の水平円環状に形成されており、この水平円環羽根４は上記籠本体２の外周面に高さ方向の中央部からやや上方部分に一体に設けられている。なお、図１に示した魚釣り用こませ籠１では水平円環羽根４は一枚しか一体に設けられていないが、籠本体２の高さ方向に所定間隔を存して複数枚の水平円環羽根４を一体に設けたのものであってもよい。
【００１９】
上記吊下用の取っ手５は、半円形状の取っ手部材51とこの取っ手部材51の外周縁中央部に形成された透孔に変移自在に取付けられたスナップ52とからなり、上記取っ手部材51の両端縁を内側方へ屈曲させ、この屈曲部51a 、51a を上記籠本体２の上部に形成された取付孔24、24に回動自在に取付けられてなる。
【００２０】
なお、上記水平円環羽根４は上記籠本体２の全周に亘って連続形成されているが、この水平円環羽根４を複数分割して不連続に形成しておいてもよい。
【００２１】
次に、上記魚釣り用こませ籠１の使用方法を説明する。先ず、上記魚釣り用こませ籠１を、その取っ手５のスナップ52を用いて「さびき仕掛け」の道糸の最下端に取り付ける。
【００２２】
そして、道糸の最下端に取付けられた魚釣り用こませ籠１のこませ収納部21に上記こませ投入口22からこませを詰める。しかる後、釣り竿を操りながら魚釣り用こませ籠１を水中に投入する。
【００２３】
すると、籠本体２の外周面に一体に設けられた水平円環羽根４が水の抵抗を受けるため従来の魚釣り用こませ籠よりも遅い沈降速度で沈降する。従って、道糸10に締結された枝針11は道糸10に沿った状態となることなく、枝針11は道糸10から離間し拡がった浮遊状態で沈降していくので、魚の食いつきを向上させることができる。
【００２４】
しかも、道糸最下端に取付けられた魚釣り用こませ籠１は、釣り竿に道糸を介して吊支された状態であることから、水中に投入される時は前後左右方向に不規則に揺動しており、いずれかの方向に傾倒した状態で水中に投入される。
【００２５】
従って、上記の如く傾倒状態の魚釣り用こませ籠１は羽根４にかかる水の抵抗によってその重心を中心として前後左右方向に不規則に揺動しながら水中を沈降する（図２参照）。
【００２６】
このように、魚釣り用こませ籠１は前後左右方向に不規則に揺動しながら水中を沈降するので、籠本体２のこませ収納部21に収納されたこませは、籠本体２の周面に形成された隙間23及びこませ投入口22から円滑に散出され、撒き餌による集魚効果を向上させ、釣果を高めることができる。
【００２７】
そして、魚釣り用こませ籠１が所望深さに到達した後、今度は釣り竿を上方へ持ち上げる操作を行うのであるが、かかる場合にも、魚釣り用こませ籠１は水平円環羽根４にかかる水の抵抗によってその重心を中心として前後左右方向に不規則に揺動しながら上方へ引き上げられ、この過程においても、籠本体２のこませ収納部21に収納されたこませは、籠本体２の周面に形成された隙間23及びこませ投入口22から円滑に散出される。
【００２８】
上記魚釣り用こませ籠１は籠本体２の外周に水平円環羽根４を一体に設けた場合を説明したが、次に、羽根４を籠本体２の外周に前周部から後周部に向かって斜め上方、即ち、上記籠本体２を斜め輪切り状にする方向に一体に設けた魚釣り用こませ籠１を図３に基づいて説明する。
【００２９】
この魚釣り用こませ籠１において、羽根４を籠本体２の外周に前周部から後周部に向かって斜め上方に一体に設けた傾斜円環羽根に構成している点以外の構成、即ち、籠本体２及び取っ手５については上記図１に示した魚釣り用こませ籠１と同様であるのでその説明を省略し、籠本体２の外周に一体に設けられた傾斜円環羽根４についてのみ説明する。
【００３０】
上記傾斜円環羽根４は、上記籠本体２の全周に亘って一定幅を有する同一形状の２枚の羽根４、４が、上記籠本体２の外周面に高さ方向に所定間隔を存し並行状態で且つ籠本体２の外周の前周部から後周部に向かって斜め上方に傾斜した状態で一体に設けられている。なお、上記では傾斜円環羽根４は籠本体２の外周に２枚設けられているが、傾斜円環羽根の枚数は単数又は３枚以上であってもよい。
【００３１】
次に、上記魚釣り用こませ籠１の使用方法を説明する。この魚釣り用こませ籠１の道糸への取付要領から水中への投入要領に至る一連の方法は上記図１に示した魚釣り用こませ籠１と同様であるのでその説明を省略する。
【００３２】
一方、上記魚釣り用こませ籠１は、図１に示した魚釣り用こませ籠１と水中における沈降形態が異なるのでかかる点について説明する。上記魚釣り用こませ籠１も、図１に示した魚釣り用こませ籠１と同様に、籠本体２の外周面に一体に設けられた傾斜円環羽根４が水の抵抗を受けるため従来の魚釣り用こませ籠よりも遅い沈降速度で水中を沈降する。
【００３３】
しかしながら、図３に示した魚釣り用こませ籠１の籠本体１の外周に一体に設けられた傾斜円環羽根４は、籠本体２の外周の前周部から後周部に向かって斜め上方に傾斜した状態で一体に設けられていることから、上記魚釣り用こませ籠１は傾斜円環羽根４に対する水の抵抗によって斜め横滑り方向に沈降する。
【００３４】
従って、図４に示したように、道糸10に締結された枝針11は道糸10に沿った状態となることなく、枝針11は道糸10から離間し拡がった浮遊状態で沈降していくので、魚の食いつきを向上させることができる。更に、魚釣り用こませ籠１は斜め横滑り方向に沈降することから、籠本体２は側面方向から水の抵抗を受け、その水の抵抗によって籠本体２のこませ収納部21に収納したこませを隙間23及びこませ投入口22から円滑に散出させることができ、撒き餌による集魚効果を向上させ、釣果を高めることができる。
【００３５】
そして、魚釣り用こませ籠１が所望深さに到達した後、今度は釣り竿を上方へ持ち上げる操作を行うのであるが、かかる場合も沈降する場合と同様に、魚釣り用こませ籠１は傾斜円環羽根４にかかる水の抵抗によって斜め上方向へ引き上げられることから、籠本体２は側面方向から水の抵抗を受け、その水の抵抗によって籠本体２のこませ収納部21に収納したこませを隙間23及びこませ投入口22から円滑に散出させることができ、撒き餌による集魚効果を向上させ、釣果を高めることができる。
【００３６】
次に、上記図１及び図３に示した魚釣り用こませ籠１はその籠本体２の外底部を水平面とし、この水平外底面に逆円錐状の重錘３を一体に設けてなるが、籠本体２の外底面を前方から後方に向かって斜め上方向に傾斜させた傾斜外底面25とし、この傾斜外底面25に重錘３を一体に設けてなる魚釣り用こませ籠１について説明する。
【００３７】
即ち、上記魚釣り用こませ籠１は、図５に示したように、籠本体２とこの籠本体２の傾斜外底面25に一体に設けられた重錘３と上記籠本体２の外周に一体に設けられた二枚の傾斜円環羽根４、４と上記籠本体２の上部に一体に設けられた吊下用の取っ手５とからなる。なお、図３に示した魚釣り用こませ籠１と同様の構成についてはその説明を省略する。
【００３８】
上記籠本体２はその外底面25が前方から後方に向かって斜め上向きに傾斜した有底筒状体からなり、その周面にはこませ収容部21に収納されたこませを外部に散出するための平行四辺形の隙間23が変形格子状に形成されている。
【００３９】
上記２枚の羽根４は上記籠本体２の全周に亘って一定幅を有する薄肉厚の傾斜円環状に形成されており、これら傾斜円環羽根４、４は上記籠本体２の外周面に高さ方向に所定間隔を存して並行した状態且つ上記籠本体２の外底面25の傾斜方向に合致した状態で一体に設けられている。なお、上記傾斜円環羽根４の数は特に限定されず単数であっても３枚以上であってもよい。
【００４０】
上記籠本体２の傾斜外底面25に一体に設けられた重錘３は、図６に示した様に、偏平な平面略円形状の鉛から形成されており、その下面には上記籠本体２の傾斜外底面25の傾斜方向に合致して、重錘３の前端部から後端部に亘って３本の平行な突条31が左右方向に所定間隔を存して形成されている。なお、突条31の数は特に限定されず、１、２又は４つ以上のいずれであってもよい。
【００４１】
このように、上記重錘３の下面には３本の平行した突条31が形成されているので、魚釣り用こませ籠１を沈降又は上昇させる際、魚釣り用こませ籠１の沈降又は上昇方向をより安定させることができ、魚釣り用こませ籠１ひいてはさびき仕掛けを所望位置に確実に到達させることができる。
【００４２】
【発明の効果】
本発明の魚釣り用こませ籠は、上述の構成を有するので、道糸の下端に固着された魚釣り用こませ籠が水中に投入されて水中を沈降する際、籠本体の外周に一体に設けられた羽根が水の抵抗を受けるので、魚釣り用こませ籠は水中をゆっくりと沈降する。それに伴い、道糸もゆっくりと沈降し、道糸に締結された枝針も急激に沈降した際のような垂直状態となって道糸に沿った状態となることなく道糸から離間した浮遊状態で魚のいるポイントまで沈められ、より一層魚の食いつきを向上させることができる。
【００４３】
請求項１に記載の魚釣り用こませ籠によれば、上記羽根が籠本体の外周に水平方向に一体に設けられていることを特徴とするので、魚釣り用こませ籠を水中に沈降させる際、水平羽根が水の抵抗によって前後左右に不規則な揺動状態で沈降するので、魚釣り用こませ籠に収納されたこませをより円滑に散出させることができ、撒き餌による集魚効果を向上させ、釣果を高めることができる。
【００４４】
請求項２に記載の魚釣り用こませ籠によれば、籠本体の外周にその全周に亘って前周部から後周部に向かって斜め上方に傾斜した傾斜円環羽根が一体に設けられていることを特徴とするので、魚釣り用こませ籠を水中に沈降させる際、傾斜羽根が水の抵抗によって斜め下方向に沈降するので、道糸に締結した枝針を道糸から離間させた浮遊状態で魚のいるポイントまで沈めることができる。しかも、上記の如く、魚釣り用こませ籠は斜め下方向に沈降するので、魚釣り用こませ籠は水の抵抗を側面から受け、その圧力によって魚釣り用こませ籠のこませ収納部に収納したこませは周面に形成されたこませ散出用の隙間及びこませ投入口から円滑に散出される。よって、上記道糸からの浮遊状態の枝針と円滑なこませの散出とが相まってより一層魚の食いつきを向上させることができる。
【００４５】
請求項４に記載の魚釣り用こませ籠によれば、上記籠本体の底面が上記羽根と同方向に傾斜して形成されているとともに、その傾斜外底面に一体的に設けられている重錘の下面が上記羽根と同方向に傾斜して形成されていることを特徴とするので、魚釣り用こませ籠を斜め下方向に沈降又は上昇させる際に籠本体の底部が水の抵抗を受けることがなく、魚釣り用こませ籠を沈降又は上昇させる際に円滑に斜め下方向又は斜め上方向に進行させることができ、確実に魚のいるポイントへさびき仕掛けを沈めることができる。
【００４６】
請求項５に記載の魚釣り用こませ籠によれば、上記籠本体の傾斜外底面に設けられた重錘の下面に、上記羽根の傾斜方向に延びる突条が形成されていることを特徴とするので、魚釣り用こませ籠の沈降又は上昇時の方向をより一層安定させることができ、より確実に魚のいるポイントへさびき仕掛けを沈めることができる。
【００４７】
請求項６に記載の魚釣り用こませ籠によれば、上記羽根が、籠本体の外周の上下方向に所定間隔をおいて複数枚設けられていることを特徴とするので、請求項１乃至請求項５のうち何れか１項に記載の魚釣り用こませ籠の効果をより一層発揮させることができる。
【図面の簡単な説明】
【図１】  本発明の魚釣り用こませ籠の実施例を示した斜視図である。
【図２】  図１の魚釣り用こませ籠の水中での揺動状態を示した説明図である。
【図３】  本発明の魚釣り用こませ籠の他の実施例を示した斜視図である。
【図４】  図３の魚釣り用こませ籠の海中での斜め移動状態を示した説明図である。
【図５】  本発明の魚釣り用こませ籠の他の実施例を示した斜視図である。
【図６】  図５の魚釣り用こませ籠の底面斜視図である。
【符号の説明】
１．魚釣り用こませ籠
２．籠本体
21．こませ収納部
22．こませ投入口
23．こませ散出用の隙間
３．重錘
31．突条
４．羽根
５．取っ手
10．道糸
11．枝針
【図１】
0003819562.tif 000002
【図３】
0003819562.tif 000003
【図２】
0003819562.tif 000004
【図４】
0003819562.tif 000005
【図５】
0003819562.tif 000006
【図６】
0003819562.tif 000007